(57)【要約】【課題】大容量の空気清浄機能と加湿機能を発揮することができ、空気清浄運転と加湿運転の操作性を向上した加湿機能付空気清浄機を提供する。【解決手段】吸込口１ａと吹出口２に連通する空気清浄フィルター３を備えた空気清浄風路４と、空気清浄風路４の途中で分岐する加湿手段１６を備えた加湿風路５と、空気清浄風路４と加湿風路５に送風する両吸込送風機６を有し、両吸込送風機６は吸気側に第１吸気口７と第２吸気口８を備え、また吐出側に上吐出口９と下吐出口１０を備え、加湿風路５に両吸込型遠心送風機６の下吐出口１０よりプラス圧の通気気流を供給するとともに、両吸込型遠心送風機６の第２吸気口８よりマイナス圧で吸引することにより、空気浄化機能と加湿機能の双方を大風量にて実現する加湿機能付空気清浄機を提供できる。【選択図】図１
2009250504.tif 000002
【特許請求の範囲】
【請求項１】
本体の側面に設けた吸込口と、本体の天面に設けた吹出口と、前記吸込口と吹出口に連通する空気清浄フィルターを備えた空気清浄風路と、この空気清浄風路の途中で分岐する加湿手段を備えた加湿風路と、前記空気清浄風路と前記加湿風路に送風する両吸込送風機を有し、この両吸込送風機は吸気側に第１吸気口と第２吸気口を備えるとともに吐出側に上吐出口と下吐出口を備え、前記空気清浄風路は前記吸込口から空気清浄フィルター、両吸込送風機の第１吸気口、上吐出口および吹出口の順に通過する風路となし、前記加湿風路は、前記両吸込送風機の下吐出口から加湿手段、第２の吸気口、上吐出口および吹出口の順に通過する風路とした加湿機能付空気清浄機。
【請求項２】
両吸込送風機は、両側面に空気清浄風路に対応した第１吸気口と加湿風路に対応した第２吸気口を備え、かつ上吐出口と下吐出口を備えた両吸込ケーシングと、この両吸込ケーシングに収納される両面吸込ファンと、この両面吸込ファンを回転可能に軸支するファンモータからなり、前記両面吸込ファンは、前記第１吸気口と第２吸気口に対応して、回転板の両面にそれぞれ設けた第１翼部と第２翼部からなり、第１翼部の翼長を前記第２翼部の翼長より寸法小とした請求項１記載の加湿機能付空気清浄機。
【請求項３】
両面吸込ファンを回転するファンモーターを、空気清浄フィルターに面する第１吸気口側に配置してなる請求項２記載の加湿機能付空気清浄機。
【請求項４】
本体に設けた吸込口から空気清浄フィルターを通過し、加湿手段の直前で加湿風路に合流する補助風路を設けた請求項１〜３のいずれかに記載の加湿機能付空気清浄機。
【請求項５】
加湿風路に連通する両吸込型遠心送風機の下吐出口に風量調整ダンパーを開閉可能に設け、この風量調整ダンパーの開閉により、空気清浄運転と加湿運転を切換可能とするとともに、空気清浄気流および加湿気流を１つの吹出口より吹き出してなる請求項１記載の加湿機能付空気清浄機。
【請求項６】
本体に室内の湿度を検出する湿度センサーと、風量調整ダンパーを回動する駆動モータと、前記湿度センサーの検出値に応じて前記駆動モータを制御する制御部を設け、この制御部は前記湿度センサーの検出値がしきい値より低下したとき、前記駆動モータを駆動して加湿風路へ通風してなる請求項５記載の加湿機能付空気清浄機。
【請求項７】
加湿手段は加湿フィルターを回転する回転モータを有し、空気清浄運転時は前記回転モータを停止してなる請求項１〜６のいずれかに記載の加湿機能付空気清浄機。
【発明の詳細な説明】
【技術分野】
【０００１】
本発明は、空気を浄化しながら加湿することのできる加湿機能付空気清浄機に関する。
【背景技術】
【０００２】
従来、この種の加湿機能付空気清浄機として、上流側に空気清浄部を設け、下流側に加湿部を設けた加湿機能付空気清浄機が知られている（例えば、特許文献１参照）。
【０００３】
以下、その加湿機能付空気清浄機について図９および図１０を参照しながら説明する。
【０００４】
図に示すように、吸気口１０１と排気口１０２を設けた本体ケース１０３内の空気流路１０４にフィルター１０５と、フィルター１０５の下流側に配置される送風手段１０６と、本体ケース１０３の下方に配置され、フィルター１０５により浄化された空気流路１０４の空気の一部が選択的に取り込まれる加湿流路１０７と、加湿流路１０７に配置された加湿手段１０８と、加湿された空気を外部に吹出す吹出口１０９を設け、送風手段１０６のケーシング１１０の一部は案内板１１１により形成され、案内板１１１はリンク１１２を介して閉鎖する位置または開放する位置との間を移動し、加湿流路１０７を開閉するように構成されている。
【特許文献１】特開２００５−６１６５５号公報
【発明の開示】
【発明が解決しようとする課題】
【０００５】
このような従来の加湿機能付空気清浄機では、ケーシング１１０の一部を開放して形成された加湿流路１０７に加湿手段１０８が配置されているので、空気清浄部のフィルター１０５に圧損負荷のかかる送風手段１０６のケーシング１１０の一部により加湿流路１０７が設けられることなり、所定の送風量が得られないため加湿量が少なく、室内を適正な湿度に維持できないという課題がある。
【０００６】
また、加湿運転を行なう場合は、加湿流路１０７を通して加湿気流が本体ケース１０３前面より吹き出され、加湿気流が使用者に向けて直接吹き出され、体感温度が下がり快適性を損なうという課題がある。
【０００７】
本発明は、このような従来の課題を解決するものであり、空気清浄機能をオールシーズン利用できるとともに、冬季の乾燥シーズンにおいて大容量の加湿機能を発揮できる構成とすることにより、適正湿度を維持することができ、また加湿気流が使用者の体感温度を下げないようにして、快適性を向上した加湿機能付空気清浄機を提供することを目的とする。
【課題を解決するための手段】
【０００８】
本発明の加湿機能付空気清浄機は、上記目的を達成するために、本体の側面に設けた吸込口と、本体の天面に設けた吹出口と、前記吸込口と吹出口に連通する空気清浄フィルターを備えた空気清浄風路と、この空気清浄風路の途中で分岐する加湿手段を備えた加湿風路と、前記空気清浄風路と前記加湿風路に送風する両吸込送風機を有し、この両吸込送風機は吸気側に第１吸気口と第２吸気口を備えるとともに吐出側に上吐出口と下吐出口を備え、前記空気清浄風路は前記吸込口から空気清浄フィルター、両吸込送風機の第１吸気口、上吐出口および吹出口の順に通過する風路となし、前記加湿風路は、前記両吸込送風機の下吐出口から加湿手段、第２の吸気口、上吐出口および吹出口の順に通過する風路としたものである。
【０００９】
また、他の手段は、両吸込送風機は、両側面に空気清浄風路に対応した第１吸気口と加湿風路に対応した第２吸気口を備え、かつ上吐出口と下吐出口を備えた両吸込ケーシングと、この両吸込ケーシングに収納される両面吸込ファンと、この両面吸込ファンを回転可能に軸支するファンモータからなり、前記両面吸込ファンは、前記第１吸気口と第２吸気口に対応して、回転板の両面にそれぞれ設けた第１翼部と第２翼部からなり、第１翼部の翼長を前記第２翼部の翼長より寸法小としたものである。
【００１０】
また、他の手段は、両面吸込ファンを回転するファンモーターを、空気清浄フィルターに面する第１吸気口側に配置するものである。
【００１１】
また、他の手段は、本体に設けた吸込口から空気清浄フィルターを通過し、加湿手段の直前で加湿風路に合流する補助風路を設けたものである。
【００１２】
また、他の手段は、加湿風路に連通する両吸込型遠心送風機の下吐出口に風量調整ダンパーを開閉可能に設け、この風量調整ダンパーの開閉により、空気清浄運転と加湿運転を切換可能とするとともに、空気清浄気流および加湿気流を１つの吹出口より吹き出すものである。
【００１３】
また、他の手段は、本体に室内の湿度を検出する湿度センサーと、風量調整ダンパーを回動する駆動モータと、前記湿度センサーの検出値に応じて前記駆動モータを制御する制御部を設け、この制御部は前記湿度センサーの検出値がしきい値より低下したとき、前記駆動モータを駆動して加湿風路へ通風するものである。
【００１４】
また、他の手段は、加湿手段は加湿フィルターを回転する回転モータを有し、空気清浄運転時は前記回転モータを停止するものである。
【発明の効果】
【００１５】
本発明によれば、加湿風路に両吸込型遠心送風機の下吐出口よりプラス圧の通気気流を供給するとともに、両吸込型遠心送風機の第２吸気口よりマイナス圧で吸引することにより、風量を低下させることなく、空気浄化機能と加湿機能の双方を向上できるという効果のある加湿機能付空気清浄機を提供することができる。
【００１６】
また、第２吸気口より吸気される流量を増加させ、空気清浄風路よりも加湿風路に加わる吸引圧力を増加することにより、加湿風路の送風量を確保して加湿能力を維持することができる。
【００１７】
また、空気清浄フィルターから第１吸気口にいたる空間にファンモーターを収納でき、本体の省スペース化が図れるとともに、加湿フィルターの通風量を確保することができる。
【００１８】
また、補助風路からの吸込気流に、下吐出口よりの押込気流が相乗的に作用して、加湿フィルターへの空気抵抗を軽減するとともに、風路長大なる加湿風路の空気抵抗を軽減することができ、加湿量を増加させることができる。
【００１９】
また、両吸込型遠心送風機の下吹出口に風量調整ダンパーを開閉可能に設けることにより、空気清浄運転モードでは、下吹出口が閉じられて空気清浄機能を発揮し、加湿運転モードを設定したときは、下吹出口が開放されて、加湿機能を追加した運転が行なわれる。
【００２０】
また、湿度センサーで検出された室内湿度の応じて、風量調整ダンパーを開閉制御することで、自動的に加湿運転または空気清浄運転に切り換わり、利便性を向上することができる。
【００２１】
また、加湿フィルターの回転を停止させることで、加湿フィルターへの水分付着を抑制するとともに、通風により乾燥をおこなうことにより、加湿フィルターの通気抵抗の増加を抑えることにより、空気清浄運転時の風量を増加することができる。
【発明を実施するための最良の形態】
【００２２】
本発明の請求項１記載の加湿機能付空気清浄機は、本体の側面に設けた吸込口と、本体の天面に設けた吹出口と、前記吸込口と吹出口に連通する空気清浄フィルターを備えた空気清浄風路と、この空気清浄風路の途中で分岐する加湿手段を備えた加湿風路と、前記空気清浄風路と前記加湿風路に送風する両吸込送風機を有し、この両吸込送風機は吸気側に第１吸気口と第２吸気口を備えるとともに吐出側に上吐出口と下吐出口を備え、前記空気清浄風路は前記吸込口から空気清浄フィルター、両吸込送風機の第１吸気口、上吐出口および吹出口の順に通過する風路となし、前記加湿風路は、前記両吸込送風機の下吐出口から加湿手段、第２の吸気口、上吐出口および吹出口の順に通過する風路としたものであり、本体の側面に設けた吸込口より吸い込まれた空気は、まず空気清浄風路に設けられた空気清浄フィルターにより浄化され、つぎに両吸込型遠心送風機の第１吸気口より吸気された清浄空気は、上吐出口と下吐出口とに分かれて吐出され、上吐出口より吐出された清浄空気は、本体天面に設けた吹出口より室内に吹き出され、また下吐出口より吐出された清浄空気は加湿風路に入り、加湿手段となる加湿フィルターを通過して両吸込型遠心送風機の第２吸気口より吸引され、吹出口より高湿気流として室内に吹き出されるという作用を有する。
【００２３】
また、両吸込送風機は、両側面に空気清浄風路に対応した第１吸気口と加湿風路に対応した第２吸気口を備え、かつ上吐出口と下吐出口を備えた両吸込ケーシングと、この両吸込ケーシングに収納される両面吸込ファンと、この両面吸込ファンを回転可能に軸支するファンモーターからなり、前記両面吸込ファンは、前記第１吸気口と第２吸気口に対応して、回転板の両面にそれぞれ設けた第１翼部と第２翼部からなり、第１翼部の翼長を前記第２翼部の翼長より寸法小としたものであり、両面吸込みファンの第一翼部の翼長を前記第２翼部の翼長より寸法小とすることにより、第２吸気口より吸気される流量を増加させ、空気清浄風路よりも加湿風路に加わる吸引圧力を増加することにより、空気清浄フィルターと加湿フィルターが共存する加湿風路の送風量を確保することができるという作用を有する。
【００２４】
また、両面吸込ファンを回転するファンモーターを、空気清浄フィルターに面する第１吸気口側に配置してなるものであり、両面吸込ファンを回転するファンモーターを、空気清浄フィルターに面する第１吸気口側に配置することにより、空気清浄フィルターから第１吸気口にいたる通気用の空間を活用してファンモーターを収納することが可能となり、本体の省スペース化が図れるとともに、第１吸気口に比べて通風抵抗大なる第２吸気口の吸込み面積を確保することでき、第２吸気口より吸入される流量を増加させることができるという作用を有する。
【００２５】
また、本体に設けた吸込口から空気清浄フィルターを通過し、加湿手段の直前で加湿風路に合流する補助風路を設けたものであり、空気清浄フィルターを通過した清浄空気を、加湿フィルターの直前で加湿風路に合流する補助風路を設けたことにより、補助風路からの加湿フィルターに風が吸い込まれる方向に作用する吸い込み気流に、加湿フィルターに風を押込む方向に作用する下吐出口よりの押し込み気流が相乗的に作用して、加湿フィルターへの通風時の空気抵抗を軽減するとともに、風路長大なる加湿風路の空気抵抗を低減することができ、第２吸気口より吸入される流量を増加させることができ、さらに加湿フィルターを通過する気流の接触面積も増加させることができるという作用を有する。
【００２６】
また、加湿風路に連通する両吸込型遠心送風機の下吐出口に風量調整ダンパーを開閉可能に設け、この風量調整ダンパーの開閉により、空気清浄運転と加湿運転を切換可能とするとともに、空気清浄気流および加湿気流を１つの吹出口より吹き出してなるものであり、空気清浄運転を主機能とした運転モード設定したときは、風量調整ダンパーにより下吹出口を閉じることにより、第１吸気口より吸入された空気はすべて空気清浄風路を通風し、第１吐出口を経て吹出口より吹き出すことにより、通常の空気清浄機能を発揮するとともに、加湿運転モードを設定したときは、風量調整ダンパーが開放されて加湿フィルターに案内され、つぎに両吸込型遠心送風機の第２吸気口より吸入され、第２吐出口より吹出口を通過して室内に加湿気流として吹き出されるという作用を有する。
【００２７】
また、本体に室内の湿度を検出する湿度センサーと、風量調整ダンパーを回動する駆動モータと、前記湿度センサーの検出値に応じて前記駆動モータを制御する制御部を設け、この制御部は前記湿度センサーの検出値がしきい値より低下したとき、前記駆動モータを駆動して風量調整ダンパーを開き、加湿風路への通風してなるものであり、本体に室内の湿度を検出する湿度センサーと、風量調整ダンパーを回動する駆動モータと、湿度センサーの検出値に応じて駆動モータを制御する制御部を設けたことにより、制御部は湿度センサーの検出湿度がしきい値より低下したと判断したときは、駆動モータにより風量調整ダンパーを開いて加湿風路に通風して加湿運転を行い、湿度センサーの検出湿度がしきい値を超えたと判断したときは、駆動モータにより風量調整ダンパーを閉じて加湿風路への通風を停止することで、空気清浄運転を行なうということにより、湿度センサーで検出された室内湿度の応じて、風量調整ダンパーを開閉制御することで、自動的に加湿運転または空気清浄運転に切り換わり、利便性の向上が図れるという作用を有する。
【００２８】
また、加湿手段は加湿フィルターを回転する回転モータを有し、空気清浄運転時は前記回転モータを停止してなるものであり、空気清浄運転時は加湿フィルターを回転させるための回転モータを停止させることで、加湿フィルターに水が供給されないようにして、加湿機能を抑制するとともに、付着した水分を乾燥させて、加湿フィルターの通気抵抗の増加を抑え、空気清浄運転の風量が減少しないようにできるという作用を有する。
【００２９】
以下、本発明の実施の形態について、図面を参照しながら説明する。
【００３０】
（実施の形態１）
図１〜図３に示すように、本体１の側面に吸込口１ａを設け、本体１の天面に吹出口２を設け、吸込口１ａと吹出口２に連通する空気清浄風路４に空気清浄フィルター３を備えている。加湿手段１６を備えた加湿風路５は、空気清浄風路４の途中で分岐して吹出口２に連通している。本体１内には空気清浄風路４と加湿風路５に送風する両吸込送風機６を有し、この両吸込送風機６は吸気側に第１吸気口７と第２吸気口８を備えるとともに、吐出側に上吐出口９と下吐出口１０を備えている。
【００３１】
空気清浄風路４は吸込口１ａから空気清浄フィルター３、両吸込送風機６の第１吸気口７、上吐出口９および吹出口２の順に通過する風路としている。また、加湿風路５は両吸込送風機６の下吐出口１０から加湿手段１６、第２の吸気口８、上吐出口９および吹出口２の順に通過する風路としている。
【００３２】
また、両吸込送風機６は両吸込ケーシング１１と、両吸込ケーシング１１に収納される両面吸込ファン１２と、両面吸込ファン１２を回転可能に軸支するファンモータ１３より構成されている。両吸込ケーシング１１は両側面に空気清浄風路４に対応した第１吸気口７と、加湿風路５に対応した第２吸気口８を備え、かつ上吐出口９と下吐出口１０を備えている。両面吸込ファン１２は、第１吸気口７と第２吸気口８に対応して、回転板１２ａの両面にそれぞれ設けた第１翼部１４と第２翼部１５からなり、第１翼部１４の翼長を第２翼部１５の翼長より寸法小としている。
【００３３】
また、両面吸込ファン１２を回転するファンモーター１３を、空気清浄フィルター３に面する第１吸気口７側に配置している。
【００３４】
また、本体１に設けた吸込口１ａから空気清浄フィルター３を通過し、加湿手段１６の直前で加湿風路に合流する補助風路１７を設けている。
【００３５】
上記構成により、本体１の側面に設けた吸込口１ａより吸い込まれた空気は、まず空気清浄風路４に設けられた空気清浄フィルター３により浄化される。つぎに両吸込型遠心送風機６の第１吸気口７より吸気された清浄空気は、上吐出口９と下吐出口１０とに分かれて吐出される。上吐出口９より吐出された清浄空気は、本体１天面に設けた吹出口２より室内に吹き出される。また下吐出口１０より吐出された清浄空気は加湿風路５に入り、加湿手段１６となる加湿フィルター２３を通過して両吸込型遠心送風機６の第２吸気口８より吸引され、吹出口２より高湿気流として室内に吹き出される。
【００３６】
このように空気清浄風路４と加湿風路５を同一機器内に別風路として設け、また加湿風路５に両吸込型遠心送風機６の下吐出口１０よりプラス圧の通気気流を供給するとともに、両吸込型遠心送風機６の第２吸気口８よりマイナス圧で吸引することにより、加湿風路５の圧力損失を減少できる風路構成とすることができるので、加湿フィルター２３の圧力損失および加湿風路５の圧力損失による本体１の風量を低下させることなく、空気浄化機能と加湿機能の双方を向上させた加湿機機能付空気清浄機が得られる。
【００３７】
また、加湿風風路５の吹出口を本体１天面に設けることで、加湿運転時の使用者に対する吹出風によるドラフト感を低減することができる。
【００３８】
また、両面吸込みファン１２の第一翼部１４の翼長を第２翼部１５の翼長より寸法小とすることにより、第２吸気口８より吸気される流量を増加させ、空気清浄風路よりも加湿風路に加わる吸引圧力を増加することにより、空気清浄フィルター３と加湿フィルター２３が共存する加湿風路５の送風量を確保することができ、加湿能力を維持できる。
【００３９】
また、両面吸込ファン１２を回転するファンモーター１３を、空気清浄フィルター３に面する第１吸気口７側に配置することにより、空気清浄フィルター３から第１吸気口７にいたる通気用の空間を活用してファンモーター１３を収納することが可能となり、本体１の省スペース化が図れるとともに、第１吸気口７に比べて通風抵抗大なる第２吸気口８の吸込み面積を確保することでき、第２吸気口８より吸入される流量を増加させ、加湿フィルター２３の通風量を確保することができる。
【００４０】
また、空気清浄フィルター３を通過した清浄空気を、加湿フィルター２３の直前で加湿風路５に合流する補助風路１７を設けたことにより、補助風路１７からの加湿フィルター２３に風が吸い込まれる方向の吸い込み気流に、加湿フィルター２３に風を押込む方向に作用する下吐出口１０よりの押し込み気流が相乗的に作用して、加湿フィルター２３への通風時の空気抵抗を軽減するとともに、風路長大なる加湿風路５の空気抵抗を軽減することができ、第２吸気口８より吸入される流量を増加させることができ、また加湿フィルター２３を通過する気流の接触面積も増加させることができるので、加湿風路５への通風量を増やして加湿量を増加させることができる。
【００４１】
さらに、空気清浄運転時には、補助風路１７から空気清浄フィルター３を通過した清浄空気は、後述するように加湿フィルター２３は回転停止しているので、加湿フィルター２３を通過するときに乾燥するとともに、両吸込型遠心送風機６の第２吸気口８より吸引されて、吹出口２より室内に吹き出されるので、両吸込型遠心送風機６の第１吸気口７より吸引されて吹き出される空気清浄気流と合流して、大風量の空気清浄運転を行なうことができる。
【００４２】
（実施の形態２）
図１、図２、図６および図７に示すように、加湿風路５に連通する両吸込型遠心送風機６の下吐出口１０に風量調整ダンパー１８を開閉可能に設け、この風量調整ダンパー１８の開閉により、空気清浄運転と加湿運転を切換可能とするとともに、空気清浄気流および加湿気流を１つの吹出口２より吹き出している。
【００４３】
また、本体１に室内の湿度を検出する湿度センサー１９と、風量調整ダンパー１８を回動する駆動モータ２０と、湿度センサー１９の検出値に応じて駆動モータ２０を制御する制御部２１を設け、この制御部２１は湿度センサー１９の検出値がしきい値より低下したとき、駆動モータ２０を駆動して加湿風路５へ通風している。
【００４４】
上記構成により、加湿風路５に連通する両吸込型遠心送風機６の下吹出口１０に風量調整ダンパー１８を開閉可能に設けることにより、空気清浄運転を主機能とした運転モードに設定したときは、風量調整ダンパー１８により下吹出口１０を閉じることにより、第１吸気口７より吸入された空気はすべて空気清浄風路４を通風し、第１吐出口７を経て吹出口２より吹き出すことにより、通常の空気清浄機能を発揮する。
【００４５】
つぎに加湿運転モードを設定したときは、風量調整ダンパー１８が開放されて、加湿風路５に案内されるので、清浄空気に加湿機能を加えた運転が行なわれる。すなわち、風量調整ダンパー１８により下吹出口１０から吐出された清浄空気は、加湿フィルター２３を通過するときに加湿され、さらに両吸込型遠心送風機６の第２吸気口８より吸入され、第２吐出口８より吹出口２を通過して室内に加湿気流として吹き出される。
【００４６】
また、本体１に室内の湿度を検出する湿度センサー１９と、風量調整ダンパー１８を回動する駆動モータ２０と、湿度センサー１９の検出値に応じて駆動モータ２０を制御する制御部２１を設けたことにより、制御部２１は湿度センサー１９の検出湿度がしきい値より低下したと判断したときは、駆動モータ２０により風量調整ダンパー１８を開いて加湿風路５に通風して加湿運転を行う。また、湿度センサー１９の検出湿度がしきい値を超えたと判断したときは、駆動モータ２０により風量調整ダンパー１８を閉じて加湿風路５への通風を停止することで、空気清浄運転を行なう。
【００４７】
このように、湿度センサー１９で検出された室内湿度に応じて、風量調整ダンパー１８を開閉制御することで、自動的に加湿運転または空気清浄運転に切り換わり、利便性の向上が図れるとともに、いずれの運転においても、本体１天面に設けた吹出口より上方に吹き出すので、使用者にドラフト感を与えることなく快適性を保つことができる。
【００４８】
（実施の形態３）
図７および図８に示すように、加湿手段１６は加湿フィルター２３を回転する回転モータ２２を有し、制御部２１は空気清浄運転時には回転モータ２２を停止する構成としている。
【００４９】
上記構成により、加湿手段１６は、加湿フィルター２３を回転させるための回転モータ２２により回転制御を行い、空気清浄運転時は回転モータ２２を停止させることで、加湿フィルター２３に水が供給されないように抑制することができる。すなわち、加湿フィルター２３を回転させることで、貯水部２４に貯えられた水が加湿フィルター２３に付着して給水されるので、通風により加湿するものであるが、空気清浄運転時には加湿フィルター２３の回転を停止して、それ以上給水されないようにするとともに、付着した水分を乾燥させて、加湿フィルター２３の通気抵抗の増加を抑え、両吸込型遠心送風機６の風量が減少しないようにして、空気清浄風量を確保できるものである。
【００５０】
このように、空気清浄運転時は加湿フィルター２３の回転を停止させることで、加湿フィルター２３への水分付着を抑制するとともに、通風による加湿フィルター２３の乾燥をおこなうことにより、通気抵抗をさらに抑えることができ、空気清浄運転時の風量を増加することができるものである。
【図面の簡単な説明】
【００５１】
【図１】本発明の実施の形態１、２の加湿機能付空気清浄機の風量調整ダンパー閉時の側断面図
【図２】同加湿機能付空気清浄機の風量調整ダンパーが開の状態を示す側断面図
【図３】同加湿機能付空気清浄機の平面断面図
【図４】同加湿機能付空気清浄機の外観斜視図
【図５】（イ）同加湿機能付空気清浄機の両面吸込みファンの斜視図、（ロ）同加湿機能付空気清浄機の両面吸込みファンの平面図、（ハ）同加湿機能付空気清浄機の両面吸込みファンの側面図
【図６】同加湿機能付空気清浄機の分解斜視図
【図７】同加湿機能付空気清浄機の制御ブロック回路図
【図８】同加湿機能付空気清浄機の斜め背面側からの外観斜視図
【図９】従来の加湿機能付空気清浄機の側断面図
【図１０】同加湿機能付空気清浄機の正面断面図
【符号の説明】
【００５２】
１      本体
１ａ    吸込口
２      吹出口
３      空気清浄フィルター
４      空気清浄風路
５      加湿風路
６      両吸込送風機
７      第１吸気口
８      第２吸気口
９      上吐出口
１０    下吐出口
１１    両吸込ケーシング
１２    両面吸込ファン
１２ａ  回転板
１３    ファンモーター
１４    第１翼部
１５    第２翼部
１６    加湿手段
１７    補助風路
１８    風量調整ダンパー
１９    湿度センサー
２０    駆動モータ
２１    制御部
２２    回転モータ
２３    加湿フィルター
２４    貯水部
【図１】
2009250504.tif 000003
【図２】
2009250504.tif 000004
【図３】
2009250504.tif 000005
【図４】
2009250504.tif 000006
【図５】
2009250504.tif 000007
【図６】
2009250504.tif 000008
【図７】
2009250504.tif 000009
【図８】
2009250504.tif 000010
【図９】
2009250504.tif 000011
【図１０】
2009250504.tif 000012